(57)【特許請求の範囲】
【請求項１】
絶縁被覆を有する複数の導体板を並列した導体と、この導体を収納する長尺なハウジングとを有し、ハウジングは、一対の長尺な分割片を組み合わせて構成され、分割片は、両分割片の間に導体を収納する空間を形成するための導体収納部と、導体収納部の両開口側縁から互いに離れる方向に延びる接合部と、接合部の端部においてこの接合部に直交する補強部とを有し、二つの分割片を接合部で接合させてハウジングを構成するバスダクトであって、
分割片の導体収納部には、導体板の板面と対向する側面における外側面に断面がL型の係合突起を有し、
係合突起は、係合突起の先端が対向するように、導体収納部の前記外側面の両側縁部に一対設けられるとともに、ハウジングを設置箇所に固定するための固定用の金具の端部が係合されるように構成されていることを特徴とするバスダクト。
【請求項２】
前記係合突起は、バスダクトを設置面上に載置するための固定金具と係合するよう構成されたことを特徴とする請求項１に記載のバスダクト。
【請求項３】
前記係合突起は、バスダクトを吊り下げるための吊り金具と係合するよう構成されたことを特徴とする請求項１に記載のバスダクト。
【請求項４】
前記係合突起は、バスダクトの長手方向に連続して設けられたことを特徴とする請求項１に記載のバスダクト。
【発明の詳細な説明】
【技術分野】
【０００１】
本発明はバスダクトに関するものである。特に、一対の分割片を接合させて結合し、内部に電気導体を収納するバスダクトハウジングに関する。
【背景技術】
【０００２】
一般にバスダクトは、導体をハウジングの内部に収納保持する構成を有する。このバスダクトは、複数のケーブルを束ねて配線する配線システムと比較して、火災などの発生防止や漏洩磁束防止などに極めて優れた機能を有することから、工場施設やビルの主電力供給ラインなどに広く用いられている。
【０００３】
従来のバスダクトとして、例えば、図９に示す構成がある（特許文献１参照）。図９はバスダクトを縦置き設置した状態の縦断面図である。このバスダクトは、ハウジング内に導体を収納したユニットから構成されている。ハウジング110は、同一形状の一対の分割片を組み合わせて、両分割片の間に形成される空間に導体140を収納するものである。
【０００４】
このハウジング110は、断面が矩形の樋型に形成された導体収納部115と、導体収納部の両開口側縁から互いに離れる方向に伸びる接合部120と、接合部120にほぼ直交する補強部130とを有する。接合部120にリベット123やボルトなどを貫通することにより分割片同士を接合している。一方、導体140は、例えば絶縁被覆142を有する３相の導体板141を並列して構成されている。
【０００５】
このようなバスダクトは、床面上に縦置き設置したり、天井から吊り金具を介して吊り下げて設置される。その際、床面や設置金具との固定には、図９に示す固定金具600が用いられる。この固定金具600は、凹型断面の係合凹部と、この係合凹部に連続する平坦部とを具えている。バスダクトは、略L型の補強部130に固定金具600の係合凹部を係合し、設置面に沿わせた平坦部をボルト610などで締め付けて固定される。
【０００６】
【特許文献１】実開平６−４１３２９号公報
【発明の開示】
【発明が解決しようとする課題】
【０００７】
しかし、従来のバスダクトでは次のような問題があった。
【０００８】
(1)バスダクトの横ぶれを効果的に抑えることが難しい。
バスダクトの固定は、最も下方に位置する補強部を固定金具で押え付けることで行っているため、バスダクトの上部側はある程度の横ぶれが生じてしまうためである。その結果、横ぶれ時、導体収納部下方の接合部には大きな機械的負担がかかることになる。
【０００９】
(2)側板を導体収納部に対して正確に位置決めすることが難しい。
バスダクトユニットは、接続部を介して別のバスダクトユニットと接続される。このユニットと接続部との連結には側板が用いられ、例えば、導体収納部の外側面に側板が固定される。その際、導体収納部に対する側板の正確な位置合わせが必要であるが、導体収納部外側面が平坦面であるためガイドとなるものがなく、位置合わせの作業性に劣る。
【００１０】
従って、本発明の主目的は、容易に安定して設置することができるバスダクトを提供することにある。
【００１１】
また、本発明の他の目的は、バスダクトユニットを接続部につなげるための側板を容易にバスダクトユニットに装着することができるバスダクトを提供することにある。
【課題を解決するための手段】
【００１２】
本発明バスダクトは、絶縁被覆を有する複数の導体板を並列した導体と、この導体を収納する長尺なハウジングとを有しており、ハウジングは、一対の長尺な分割片を組み合わせて構成される。分割片は、両分割片の間に導体を収納する空間を形成するための導体収納部と、導体収納部の両開口側縁から互いに離れる方向に延びる接合部と、接合部の端部においてこの接合部に直交する補強部と、導体収納部の外側面に設けられる係合突起とを有することを特徴とする。そして、両分割片の互いに対向する接合部を接合することにより両分割片の間に導体を収納する空間を形成する。
【００１３】
本発明では、導体収納部の外側面に係合突起を設けることで、この係合突起を固定金具や吊り金具と係合することができる。そのため、容易かつ確実にバスダクトを固定した状態に設置することができる。特に、重量の大きい導体収納部に設けた係合突起を利用して固定金具や吊り金具を装着することができ、バスダクトを縦置きした場合でも横ぶれを効果的に抑制することができる。
【００１４】
係合突起の断面形状は、固定金具または吊り金具と係合できる断面形状であれば特に限定されない。例えば、鉤型の係合突起が好適である。
【００１５】
係合突起の形態は、バスダクトの長手方向に連続して設けられても良いし、断続的に設けられても良い。バスダクトの長手方向に連続的に係合突起を設けることで、バスダクトが長手方向にたわむことを抑制する補強材としての機能も係合突起に持たせることができる。
【００１６】
係合突起の数は少なくとも一つとする。固定金具と吊り金具のいずれに対しても係合できるように構成するには、一対の係合突起を用いることが望ましい。
【００１７】
係合突起の設置箇所は、導体収納部の外側面とする。特に、導体収納部外側面における側縁部に一対の係合突起を対向して設けることが好適である。このような係合突起の配置により、ユニットの端部から両係合突起の間に側板をはめ込むことが容易にできる。また、バスダクト横置き時に係合突起が広い間隔を持って設置面に接触し、安定してバスダクトを支持することができる。
【００１８】
係合突起の形成は、押し出しによりハウジングと一体成形しても良いし、ハウジングとは別個に作成された係合突起をボルト、リベット、溶接など適宜な手段で固定しても良い。押し出しにより係合突起を形成する場合、長手方向に連続する係合突起を容易に形成することができる。
【発明の効果】
【００１９】
以上説明したように、本発明バスダクトによれば、次の効果を奏することができる。
【００２０】
(1)  導体収納部の外側面に係合突起を設けることで、この係合突起に固定金具を係合することができ、容易かつ確実に床面上あるいは設置金具上にバスダクトを固定することができる。
【００２１】
(2)  この係合突起に吊り下げ金具を係合することにより、バスダクトを容易かつ安定して吊り下げ支持することができる。
【発明を実施するための最良の形態】
【００２２】
以下、本発明の実施の形態を説明する。
【００２３】
(実施例1：縦置き床面設置)
図1は本発明バスダクトのユニットを示すもので、(A)は正面図、(B)は平面図、図２は本発明バスダクトを床面上に縦置き設置した状態の断面図である。
【００２４】
このユニット100は、図１に示すように、バスダクトハウジング110内に導体140を収納した構成である。ユニット100は端部に接続部150が取り付けられ、別のユニットと連結されることにより線路を構成することができる。
【００２５】
ハウジング110は、図２に示すように、同一形状の一対の分割片110A,110Bを組み合わせて、両分割片の間に形成される空間に導体140を収納するものである。このハウジング110の分割片110A,110Bのそれぞれは、断面が矩形の樋型に形成された導体収納部115と、導体収納部115の両開口側縁から互いに離れる方向に伸びる接合部120と、接合部の端部においてこの接合部にほぼ直交する補強部130とを有する。
【００２６】
ここで、導体収納部115の外側面116には、断面がL型の係合突起117が形成されている。この係合突起117は、アルミニウムの押し出しによりハウジングと一体に形成され、ハウジングの長手方向全長にわたって形成されている。本例では、一つの分割片における導体収納部115の外側面116における両側縁部に一対の係合突起117を対向して設けた。この係合突起117は、後述するように、固定金具や吊り金具と係合するのに十分な強度を有する程度の材質、形状、サイズのものとする。
【００２７】
また、導体収納部115の開口側縁と接合部120との境界部には、ハウジングの長手方向に沿った溝121が形成され、この溝にＯリング122をはめ込むことで分割片同士の接合境界面から水などの異物が浸入することを防止している。
【００２８】
この接合部120にはリベットやボルトなどを貫通することにより分割片同士が接合される。ここでは、接合部に予め穴を形成することなく、リベット123で両フランジ部を貫通してかしめることにより両分割片を接合している。
【００２９】
さらに、接合部120には断面が略L型の補強部130が連続されている。この補強部130は、接合部120につながる第１水平補強部131、第１水平補強部131に対して導体収納部側にほぼ垂直に伸びる垂直補強部132、および垂直補強部132から接合部側にほぼ直角に伸びる第２水平補強部133とを具えている。
【００３０】
一方、導体140は、絶縁被覆142を有する３枚の導体板141を並列した構成である。導体140の両端部以外は各導体板が隣接して配置されているが、端部のみ両側の２枚の導体板141が屈曲されて、各導体板141の間に間隔を設けるように構成されている。また、導体端末は絶縁被覆142が除去されて導体板141が露出されている。
【００３１】
次に、上記バスダクトの利用形態を説明する。図２に示すように、バスダクトを、その第１水平補強部131が設置面に接触するように載置し、下方側に位置する係合突起117に固定金具200を掛け、その固定金具200を床面にボルト220で止め付けることにより固定する。固定金具200には略L型の金属片を用いた。この固定金具200は、一端が係合突起に係合する鍵型に形成されており、この鍵型部210を係合突起117にかけることでバスダクトを床面に固定することができる。固定金具200は、バスダクトの長手方向において、適宜な間隔で離散的に配置すれば良い。
【００３２】
ここで、バスダクト上端部が右側に振れようとしたとすると左側の固定金具200が係合突起117を介してバスダクトを左側に引っ張り、同時に右側の固定金具200がハウジング110を押えることで、バスダクトを両側から堅固に支えることができる。従って、バスダクトの横ぶれを効果的に抑制することができる。
【００３３】
図２では、係合突起117にのみに係合する固定金具200を示したが、図３に示すように、さらに第１水平補強部131を押圧する固定金具230を併用しても良い。この固定金具230は、垂直補強部132および第２水平補強部133を乗り越えて第１水平補強部131を上から押え付けるU型部を有するもので、前記固定金具200と共通するボルト220に貫通されて設置面に固定される。図３の固定金具230を併用することで、一層強固にバスダクトを固定することができる。
【００３４】
さらに、図３では、２つの固定金具200,230を用いて係合突起117への係合と第１水平補強部131の押え付けを行ったが、図４に示すように、これら２つの固定金具を一体にした固定金具240を用いても良い。
【００３５】
（実施例２：天井吊り下げ）
次に、図１に記載のバスダクトを天井から吊り下げる設置状態を図５に基づいて説明する。この設置例では、バスダクトを縦配置し、上方側に位置する係合突起117に吊り下げ金具300を掛けて、バスダクトを天井から吊り下げる。
【００３６】
この吊り下げ金具300は、長片と短片が直角につながった略L型のもので、長片の端部には係合突起117に係合する鍵型部310が形成されている。一方、短片にはボルト孔が形成され、そのボルト孔にボルト320を差し込んで天井にねじ込むことで吊り下げ金具を天井に固定する。
【００３７】
ここでは、バスダクトの右側と左側の各係合突起117に吊り下げ金具300を係合し、短片が互いに離反する方向に向くように対象に取り付けた。この吊り下げ金具300もバスダクトの長手方向において、適宜な間隔で離散的に配置すれば良い。
【００３８】
このように、天井からバスダクトを吊り下げる場合も係合突起117を効果的に活用し、容易に設置作業が行えると共に、確実な吊り下げ支持を実現することができる。
【００３９】
図５の構成では短片が互いに離反する方向に吊り下げ金具300を装着した状態を示したが、図６に示すように、短片が互いに重なり合うように吊り下げ金具330を装着し、短片の重なり部分をボルト320で貫通して天井に固定する構造でも良い。
【００４０】
図５の構造では２本のボルトが必要であるが、本例では１本のボルト320で取り付けが可能である。さらに、図６の構成において、ボルト320を長ボルトとし、吊り下げ金具330の短片と天井との間を開けた吊り下げ構造としても良い。
【００４１】
その他、本発明バスダクトの係合突起117は、分岐ボックスの装着にも利用できる。バスダクトでは、電流の分岐をとるために分岐ボックスをバスダクトの上部に設けることがある。
【００４２】
その場合、図７に示すように、バスダクト上部の第１水平補強部上に分岐ボックスを載せる。図７では分岐ボックスの底面400のみを示している。そして、分岐ボックスの底面400に図５に示した吊り下げ金具300と同様の金具を用いて分岐ボックスとバスダクトとの連結を行う。
【００４３】
（実施例３：横置き設置）
次に、バスダクトを横置きする場合の設置構造を図８に基づいて説明する。図８は本発明バスダクトを天井からの設置金具を介して横置きした状態を示す構成図である。
【００４４】
ここでは、長片に短片が直角状につながる略L型の設置金具450を用い、バスダクトを横置きした状態に支持する。バスダクトが載せられる長片は、バスダクトにおける一方の第１水平補強部131から他方の第１水平補強部131までの長さよりも長く、そのほぼ中間にボルト孔が形成されている。バスダクトを長片上に載せると、ハウジングの係合突起117が設置金具450上に接触し、バスダクトを支持することになる。
【００４５】
バスダクトと設置金具450との固定には、締付片460を利用する。締付片460は、両端部が若干屈曲して折り上げられた細長い金属板で、中央にはボルト貫通孔が形成されている。予め締付片460にボルトを通して置き、横置き配置した際に下方に位置する両係合突起間に、この締付片460をはめ込む。
【００４６】
その状態のバスダクトを設置金具の上に載せ、設置金具450のボルト孔にもボルト470を貫通させて、ボルト470の先端にナット480をねじ込む。ナット480のねじ込みにより、締付片の両端部が係合突起117に係合して、同突起を下方に押し付けるため、係合突起117が長片側に押し付けられ、バスダクトを設置金具450に固定することができる。
【産業上の利用可能性】
【００４７】
本発明は、一対の分割片を接合させて結合し、内部に電気導体を収納するバスダクトハウジングに好適である。
【図面の簡単な説明】
【００４８】
【図１】本発明バスダクトのユニットを示すもので、(A)は正面図、(B)は平面図である。
【図２】本発明バスダクトを床面上に縦置き設置した状態の断面図である。
【図３】第１水平補強部を押える固定金具も併用した本発明バスダクトの縦置き状態の断面図である。
【図４】係合突起への係合と第１水平補強部の押え付けを同時に行う固定金具を用いた本発明バスダクトの縦置き状態の断面図である。
【図５】本発明バスダクトを天井から吊り下げた状態の断面図である。
【図６】図５とは異なる吊り下げ金具により本発明バスダクトを天井から吊り下げた状態の断面図である。
【図７】分岐ボックスを本発明バスダクト上に取り付けた状態の断面図である。
【図８】本発明バスダクトを横置きした状態を示す断面図である。
【図９】従来のバスダクトの縦置き状態を示す断面図である。
【符号の説明】
【００４９】
100  ユニット
110  バスダクトハウジング
110A、110B  分割片
115  導体収納部
116  外側面
117  係合突起
120  接合部
121  溝
122  Ｏリング
123  リベット
130  補強部
131  第１水平補強部
132  垂直補強部
133  第２水平補強部
140  導体
141  導体板
142  絶縁被覆
150  接続部
200  固定金具
210  鍵型部
220  ボルト
230  固定金具
240  固定金具
300  吊り下げ金具
310  鍵型部
320  ボルト
330  吊り下げ金具
400  底面
450  設置金具
460  締付片
470  ボルト
480  ナット
500  側板
600  固定金具
610  ボルト
【図１】
0003707029.tif 000002
【図２】
0003707029.tif 000003
【図３】
0003707029.tif 000004
【図４】
0003707029.tif 000005
【図５】
0003707029.tif 000006
【図６】
0003707029.tif 000007
【図７】
0003707029.tif 000008
【図８】
0003707029.tif 000009
【図９】
0003707029.tif 000010